(57)【要約】【課題】第１表示画像と縮小画像との間の表示切替による画像の変化を緩和する。【解決手段】表示装置１は、マトリックス状に複数の画素２１が形成されている表示パネル２と、第１情報を表す第１表示画像７、８と、第１表示画像７、８より縮小し且つ第１表示画像７、８と異なる形態で第１情報を表す縮小画像７ｂ、８ｂと、第１表示画像７、８と同じ大きさで且つ縮小画像７ｂ、８ｂと同一または類似した形態で第１情報を表す中間画像７ａ，８ａとの間で、表示パネル２の表示を切り替える制御手段４、５とを備え、第１表示画像７、８と縮小画像７ｂ、８ｂとの間で表示を切り替える際、この表示切替の間で中間画像７ａ，８ａへ表示を切り替える。これにより、第１表示画像と縮小画像との間の表示切替による画像の変化を緩和できる。【選択図】図２
2008254539.tif 000002
【特許請求の範囲】
【請求項１】
マトリックス状に複数の画素が形成されている表示パネルと、
第１情報を表す第１表示画像と、該第１表示画像より縮小し且つ該第１表示画像と異なる形態で該第１情報を表す縮小画像と、該第１表示画像と同じ大きさで且つ該縮小画像と同一または類似した形態で該第１情報を表す中間画像との間で、前記表示パネルの表示を切り替える制御手段とを備え、
前記第１表示画像と前記縮小画像との間で前記表示を切り替える際、該表示切替の間で前記中間画像へ該表示を切り替えることを特徴とする表示装置。
【請求項２】
前記縮小画像の大きさまで徐々に前記中間画像を縮小して、該中間画像から該縮小画像へ前記表示を切り替えることを特徴とする請求項１に記載の表示装置。
【請求項３】
前記中間画像の大きさまで徐々に前記縮小画像を拡大して、該縮小画像から該中間画像へ前記表示を切り替えることを特徴とする請求項１に記載の表示装置。
【請求項４】
前記縮小画像へ前記表示が切り替わった際に、前記第１表示画像が表示されていた領域から該縮小画像が表示されている領域を差し引いた領域を利用して、第２情報を表す第２表示画像を表示することを特徴とする請求項１ないし請求項３のいずれか一項に記載の表示装置。
【発明の詳細な説明】
【技術分野】
【０００１】
本発明は、マトリックス状に複数の画素が形成されている表示パネルの表示を、同じ情報を表す表示画像と縮小画像との間で切り替える表示装置に関するものである。
【背景技術】
【０００２】
マトリックス状に複数の画素が形成されている液晶パネル等の表示パネルの表示を、同じ情報を表す表示画像と縮小画像との間で切り替える表示装置が開示されている（特許文献１を参照）。
【特許文献１】特開平９−１２３８４８号公報
【発明の開示】
【発明が解決しようとする課題】
【０００３】
特許文献１では明確には記載されていないが、所定の情報を表す表示画像を縮小して表示する場合、表示画像と異なる形態で縮小した縮小画像を、表示する必要がある。これは、表示画像をその形態を変更しないで相似的に縮小して表示すると、これを認識し難くなるため、認識可能なように形態を変更して縮小する必要があるためである。
【０００４】
このため、表示画像から縮小画像へ表示を切り替える場合、この縮小による変化と、この形態の変更による変化とが加算された画像変化が、急激な画像の変化として視認者に違和感を与えることになる。この問題は、縮小画像から表示画像へ切り替える場合にも生じる。
【０００５】
本発明は、このような事情を考慮してなされたものであり、マトリックス状に複数の画素が形成されている表示パネルの表示を、同じ情報を表示画像と縮小画像との間で表示を切り替える表示装置において、この表示切替による画像の変化を緩和することを目的とする。
【課題を解決するための手段】
【０００６】
本発明は上記目的を達成するため、以下の技術的手段を採用する。
【０００７】
請求項１に記載の表示装置は、マトリックス状に複数の画素が形成されている表示パネルと、第１情報を表す第１表示画像と、第１表示画像より縮小し且つ第１表示画像と異なる形態で第１情報を表す縮小画像と、第１表示画像と同じ大きさで且つ縮小画像と同一または類似した形態で第１情報を表す中間画像との間で、表示パネルの表示を切り替える制御手段とを備え、第１表示画像と縮小画像との間で表示を切り替える際、この表示切替の間で中間画像へ表示を切り替えることを特徴とする。
【０００８】
この構成では、第１表示画像と、第１表示画像より縮小し且つ第１表示画像と形態が異なる縮小画像との間で表示を切り替える際、この表示切替の間で、第１表示画像と同じ大きさで且つ縮小画像と形態が同一または類似する中間画像へ表示を切り替える。これにより、第１表示画像と縮小画像との間の表示切替による、画像の形態と大きさとの両方の変化を、第１表示画像と中間画像との間の表示切替による画像の形態の変化と、縮小画像と中間画像との間の表示切替による画像の大きさの変化とに分けることができる。このため、第１表示画像と縮小画像との間の表示切替による画像の変化を緩和できる。
【０００９】
請求項２に記載の表示装置は、縮小画像の大きさまで徐々に中間画像を縮小して、中間画像から縮小画像へ表示を切り替えることを特徴とする。これにより、中間画像から縮小画像への表示切替による画像の大きさの変化を緩和でき、このため、第１表示画像から縮小画像への表示切替による画像の変化をより緩和できる。
【００１０】
請求項３に記載の表示装置は、中間画像の大きさまで徐々に縮小画像を拡大して、縮小画像から中間画像へ表示を切り替えることを特徴とする。これにより、縮小画像から中間画像への表示切替による画像の大きさの変化を緩和でき、このため、縮小画像から第１表示画像への表示切替による画像の変化をより緩和できる。
【００１１】
請求項４に記載の表示装置は、縮小画像へ表示が切り替わった際に、第１表示画像が表示されていた領域から縮小画像が表示されている領域を差し引いた領域を利用して、第２情報を表す第２表示画像を表示することを特徴とする。これにより、上述の効果に加えて、縮小画像に表示が切り替わったことによって生じた領域を有効に利用することができ、このため、限られたスペースで多くの情報を表示できる。
【発明を実施するための最良の形態】
【００１２】
以下、本発明による表示装置を図面に基づいて説明する。
【００１３】
図１に示す表示装置１は、例えば、車載用の表示装置として使用され、表示パネルである液晶パネル２と、発光ダイオード３と、制御手段であるＣＰＵ（セントラル・プロセッシング・ユニット）４と描画ＩＣ（集積回路）５と、ＲＯＭ（リード・オンリー・メモリ）４１と、記憶データの書き換えが可能な画像メモリ５１とを備える。
【００１４】
マトリックス状に複数の画素２１が形成されている液晶パネル２は、図示しない薄膜トランジスタ（ＴＦＴ）によって駆動されるタイプのアクティブマトリックス方式の液晶パネルである。また、各画素２１は、赤色画素と緑色画素と青色画素を内蔵し、ＴＦＴのゲートに電圧を印加することによって各画素２１において赤色画素と緑色画素と青色画素に印加する電圧を制御し、これにより、各画素２１において赤色画素と緑色画素と青色画素の各光透過率を制御する。白色光を発する発光ダイオード３は、液晶パネル２の背後に配置されて液晶パネル２を透過照明する光源であり、ＣＰＵ４によって点燈する。赤色画素と緑色画素と青色画素の各光透過率が制御されている各画素２１を発光ダイオード３が透過照明することによって、液晶パネル２にフルカラー表示をさせる。
【００１５】
ＣＰＵ４は、第１情報である当該自動車のエンジン回転数を検出する回転センサ６１等の信号を取り込み、これを描画ＩＣ５に入力させ、当該自動車に備わる機器の作動状態を報知するインジケータや当該自動車の異常を警告するウォーニングに関するインジケータ／ウォーニングセンサ６２等の信号を取り込み、描画ＩＣ５に入力させる。ＲＯＭ４１には、図２に示す第１表示画像である回転メータ画像７と速度メータ画像８や、インジケータ／ウォーニング画像９１−９４ｂ等の各画像データが記憶されている。
【００１６】
ＣＰＵ４からの指示により、画像データがＲＯＭ４１から画像メモリ５１へ転送され、描画ＩＣ５は、画像メモリ５１の画像データと、入力した第１情報やインジケータ／ウォーニング情報に基いて、各画素２１において赤色画素と緑色画素と青色画素に印加する電圧を制御し、複数の画素２１の各表示状態を制御する。これにより、図２に示すように、回転メータ画像７や速度メータ画像８やインジケータ／ウォーニング画像９１−９４ｂ等を液晶パネル２に表示させる。
【００１７】
また、ナイトビジョンスイッチ１１がオンされると、ＣＰＵ４は、ナイトビジョンスイッチ１０のオン信号をナイトビジョンＥＣＵ（電子制御ユニット）１０を介して受け取り、赤外線カメラ１２が撮影した第２情報である夜間映像の信号を、ナイトビジョンＥＣＵ１１を介して描画ＩＣ５に入力させる。赤外線カメラ１２は、当該自動車の前方部から照射された赤外線の反射によって夜間映像を撮影するものである。ＣＰＵ４からの指示により、描画ＩＣ５は、この夜間映像の信号に基いて、各画素２１において赤色画素と緑色画素と青色画素に印加する電圧を制御し、複数の画素２１の各表示状態を制御する。これにより、図２（ｃ）に示すように、第２表示画像であるナイトビジョン画像１３を液晶パネル２に表示させる。
【００１８】
尚、ナイトビジョンスイッチ１１がオフされている場合、図２（ａ）に示すように、ナイトビジョン画像１３を液晶パネル２に表示しない。
【００１９】
回転メータ画像７は、当該自動車のエンジン回転数を示す回転メータを表す画像であり、エンジン回転数の増減に従って回動する指針を表す指針画像７１と、指針が指し示す目盛を表す目盛画像７２と、指針が指し示す文字を表す文字画像７４とを備える。また、目盛画像７２は、目盛領域７３内で表示される。
【００２０】
速度メータ画像８は、第１情報である当該自動車の速度を表示する速度メータを表す画像であり、回転メータ画像７と同様に、当該自動車の速度の増減に従って回動する指針を表す指針画像８１と、指針が指し示す目盛を表す目盛画像８２と、指針が指し示す文字を表す文字画像８４とを備える。また、目盛画像８２は、目盛領域８３内で表示される。インジケータ／ウォーニング画像９１−９４ｂは、インジケータとウォーニングとを表す画像である。
【００２１】
以下、本発明の特徴である回転メータ画像７と速度メータ画像８の表示切替について、図２に基いて説明する。
【００２２】
ナイトビジョンスイッチ１１がオフされている場合、図２（ａ）に示す回転メータ画像７を液晶パネル２に表示し、ナイトビジョンスイッチ１１がオンされると、回転メータ画像７から図２（ｂ）に示す中間画像７ａへ表示を切り替える。ナイトビジョンスイッチ１１がオンされてから所定時間（例えば１秒）を経過する間に、図２（ｃ）に示す縮小画像７ｂの大きさまで徐々に中間画像７ａを縮小して、中間画像７ａから縮小画像７ｂに表示を切り替える。
【００２３】
縮小画像７ｂは、回転メータ画像７と同じ当該自動車のエンジン回転数を表す画像であるが、回転メータ画像７より縮小し且つ回転メータ画像７と異なる形態の画像である。具体的に、回転メータ画像７の指針画像７１を、縮小画像８ｂにおいて指針画像７１より短い指針画像７１ｂに変更し、回転メータ画像７の文字画像７４を、縮小画像７ｂにおいて表示しない。このとき、回転メータ画像７から縮小画像７ｂへの表示切替に伴って、図２（ａ）中のインジケータ／ウォーニング画像９１，９２を、図２（ｃ）中のインジケータ／ウォーニング画像９１ｂ、９２ｂへ配置変更する。
【００２４】
中間画像７ａは、回転メータ画像７と同じ当該自動車のエンジン回転数を表す画像であり、回転メータ画像７と同じ大きさの画像であるが、回転メータ画像７と形態が異なり、縮小画像７ｂと同じ形態の画像である。また、中間画像７ａとインジケータ／ウォーニング画像９１ａ、９２ａの相対的な配置関係を、縮小画像７ｂとインジケータ／ウォーニング画像９１ｂ、９２ｂの相対的な配置関係と同一にする。
【００２５】
以上により、回転メータ画像７と縮小画像７ｂとの間の表示切替による、画像の形態と大きさとの両方の変化を、回転メータ画像７と中間画像７ａとの間の表示切替による画像の形態の変化と、縮小画像７ｂと中間画像７ａとの間の表示切替による画像の大きさの変化とに分けることができる。このため、回転メータ画像７と縮小画像７ｂとの間の表示切替による画像の変化を緩和できる。
【００２６】
また、縮小画像７ｂの大きさまで徐々に中間画像７ａを縮小するため、中間画像７ａから縮小画像７ｂへの表示切替による画像の大きさの変化を緩和でき、このため、回転メータ画像７から縮小画像７ｂへの表示切替による画像の変化をより緩和できる。
【００２７】
また、中間画像７ａとインジケータ／ウォーニング画像９１ａ、９２ａの相対的な配置関係を、縮小画像７ｂとインジケータ／ウォーニング画像９１ｂ、９２ｂの相対的な配置関係と同一にする。このため、インジケータ／ウォーニング画像９１、９２を含めた回転メータ画像７から、インジケータ／ウォーニング画像９１ｂ、９２ｂを含めた縮小画像７ｂへの表示切替による画像の変化をより緩和できる。
【００２８】
また、回転メータ画像７から縮小画像７ｂへ画像を縮小しているのに対して、インジケータ／ウォーニング画像９１、９２からインジケータ／ウォーニング画像９１ｂ、９２ｂへ画像の形態と大きさを変更していないため、この縮小によってインジケータ／ウォーニング画像９１ｂ、９２ｂを認識し難くならない。
【００２９】
一方、速度メータ画像８においても、回転メータ画像７と同様に、ナイトビジョンスイッチ１１がオフされている場合、図２（ａ）に示す速度メータ画像８を液晶パネル２に表示し、ナイトビジョンスイッチ１１がオンされると、速度メータ画像８から図２（ｂ）に示す中間画像８ａに表示を切り替える。ナイトビジョンスイッチ１１がオンされてから上述の所定時間を経過する間に、図２（ｃ）に示す縮小画像８ｂの大きさまで徐々に中間画像８ａを縮小して、中間画像８ａから縮小画像８ｂに表示を切り替える。
【００３０】
縮小画像８ｂは、速度メータ画像８と同じ当該自動車の速度を表す画像であるが、速度メータ画像８より縮小し且つ速度メータ画像８と異なる形態の画像である。具体的に、速度メータ画像８の指針画像８１を、縮小画像８ｂにおいて速度画像８１ｂに変更し、速度メータ画像８の文字画像８４を、縮小画像８ｂにおいて表示しない。また、速度メータ画像８の目盛領域８３を、縮小画像８ｂにおいて目盛領域８３ｂに変更する。これにより、図２（ａ）中のインジケータ／ウォーニング画像９４を、図２（ｃ）中のインジケータ／ウォーニング画像９４ｂへ配置変更し、インジケータ／ウォーニング画像９４ｂを目盛領域８３ｂに重ねて表示する。即ち、インジケータ／ウォーニング画像９４ｂと重なっている領域で、目盛領域８３ｂを表示しない。
【００３１】
また、速度メータ画像８から縮小画像８ｂへの表示切替に伴って、図２（ａ）中のインジケータ／ウォーニング画像９３を、図２（ｃ）中のインジケータ／ウォーニング画像９３ｂへ配置変更する。
【００３２】
中間画像８ａは、速度メータ画像８と同じ当該自動車の速度を表す画像であり、速度メータ画像８と同じ大きさの画像であるが、速度メータ画像８と形態が異なり、縮小画像８ｂと同じ形態の画像である。また、中間画像８ａとインジケータ／ウォーニング画像９３ａ、９４ａの相対的な配置関係を、縮小画像８ｂとインジケータ／ウォーニング画像９３ｂ、９４ｂの相対的な配置関係と同一にする。
【００３３】
以上により、速度メータ画像８においても、回転メータ画像７と同様に、速度メータ画像８と縮小画像８ｂとの間の表示切替による、形態の変化と大きさの変化の両方の変化を、速度メータ画像８と中間画像８ａとの間の表示切替による形態の変化と、縮小画像８ｂと中間画像８ａとの間の表示切替による大きさの変化とに分けることができる。このため、速度メータ画像８と縮小画像８ｂとの間の表示切替による画像の変化を緩和できる。
【００３４】
また、縮小画像８ｂの大きさまで徐々に中間画像８ａを縮小するため、中間画像８ａから縮小画像８ｂへの表示切替による大きさの変化を緩和でき、このため、速度メータ画像８から縮小画像８ｂへの表示切替による画像の変化をより緩和できる。
【００３５】
また、中間画像８ａとインジケータ／ウォーニング画像９３ａ、９４ａの相対的な配置関係を、縮小画像８ｂとインジケータ／ウォーニング画像９３ｂ、９４ｂの相対的な配置関係と同一にする。このため、インジケータ／ウォーニング画像９３、９４を含めた速度メータ画像８から、インジケータ／ウォーニング画像９３ｂ、９４ｂを含めた縮小画像８ｂへの表示切替による画像の変化をより緩和できる。
【００３６】
また、速度メータ画像８から縮小画像８ｂへ画像を縮小しているのに対して、インジケータ／ウォーニング画像９３、９４からインジケータ／ウォーニング画像９３ｂ、９４ｂへ画像の形態と大きさを変更していないため、この縮小によってインジケータ／ウォーニング画像９３ｂ、９４ｂを認識し難くならない。
【００３７】
図２（ｃ）に示すように、縮小画像７ｂ、８ｂに表示が切り替わった際に、回転メータ画像７と速度メータ画像８が表示されていた領域から縮小画像７ｂ、８ｂが表示されている領域を差し引いた領域を利用して、ナイトビジョン画像１３を表示する。これにより、縮小画像７ｂ、８ｂに切り替わったことによって生じた領域を有効に利用することができ、このため、限られたスペースで多くの情報を表示できる。
【００３８】
以上、本実施形態による表示装置１は、マトリックス状に複数の画素２１が形成されている表示パネルである液晶パネル２と、第１情報である当該自動車のエンジン回転数を表す第１表示画像である回転メータ画像７と、回転メータ画像７より縮小し且つ回転メータ画像７と異なる形態で当該自動車のエンジン回転数を表す縮小画像７ｂと、回転メータ画像７と同じ大きさで且つ縮小画像７ｂと同一または類似した形態で当該自動車のエンジン回転数を表す中間画像７ａとの間で、液晶パネル２の表示を切り替える制御手段であるＣＰＵ４と描画ＩＣ５とを備え、回転メータ画像７と縮小画像７ｂとの間で表示を切り替える際、この表示切替の間で中間画像７ａ，８ａへ表示を切り替える。これにより、第１表示画像と縮小画像との間の表示切替による画像の変化を緩和できる。
【００３９】
（変形例）
上述の例では、ナイトビジョンスイッチ１１がオンした場合を例に説明したが、ナイトビジョンスイッチ１１がオフする場合も同様である。この場合、縮小画像７ｂから中間画像７ａに表示を切り替えてから、回転メータ画像７に表示を切り替える。また、縮小画像８ｂから中間画像８ａに表示を切り替えてから、速度メータ画像８に表示を切り替える。
【００４０】
上述の例では、中間画像７ａ，８ａを、縮小画像８ｂ，８ｂと同じ形態の画像としたが、縮小画像８ｂ，８ｂと類似する形態の画像とすることも可能である。これによっても、上述と同様の効果を得ることができる。
【００４１】
尚、回転メータ画像７や速度メータ画像８等に限らないで、指針計器を表す指針計器画像以外の表示画像とすることも可能である。
【００４２】
また、回転メータ画像７や速度メータ画像８等の一つの情報を表す表示画像に限らない。例えば、図２において、回転メータ画像７とインジケータ／ウォーニング画像９１、９２の集合画像を、第１表示画像２０とすることが可能である。この場合、中間画像７ａとインジケータ／ウォーニング画像９１ａ、９２ａの集合画像を、中間画像２０ａとし、縮小画像７ｂとインジケータ／ウォーニング画像９１ｂ、９２ｂの集合画像を、縮小画像２０ａとする。
【００４３】
また、速度メータ画像７とインジケータ／ウォーニング画像９３、９４の集合画像を、第１表示画像３０とすることが可能である。この場合、中間画像８ａとインジケータ／ウォーニング画像９３ａ、９４ａの集合画像を、中間画像３０ａとし、縮小画像８ｂとインジケータ／ウォーニング画像９３ｂ、９４ｂの集合画像を、縮小画像３０ａとする。
【００４４】
また、液晶パネル２を、フルカラー表示をしないモノクロ液晶パネルとすることも可能である。
【００４５】
また、受光型（非発光型）の表示パネルである液晶パネル２の代わりに、発光型の表示パネルであるＥＬ（エレクトロ・ルミネセンス）表示パネルを使用することも可能である。
【００４６】
また、上述した例に限らないで、これらの組み合わせや、他の種々の変形例が考えられる。
【図面の簡単な説明】
【００４７】
【図１】図１は、本発明の一実施形態による表示装置1の回路構成図である。
【図２】図２は、図１に示す液晶パネル２の正面図であり、図２（ａ）は、第１表示画像７，８，２０，３０を表示している液晶パネル２の正面図であり、図２（ｂ）は、中間画像７ａ，８ａ，２０ａ，３０ａを表示している液晶パネル２の正面図であり、図２（ｃ）は、縮小画像７ｂ，８ｂ，２０ｂ，３０ｂを表示している液晶パネル２の正面図である。
【符号の説明】
【００４８】
１  表示装置、２  液晶パネル（表示パネル）、２１  画素、３  発光ダイオード
４  ＣＰＵ（制御手段）、４１  ＲＯＭ、５  描画ＩＣ（制御手段）、５１、画像メモリ
６１  回転センサ、６２  インジケータ／ウォーニングセンサ
７  回転メータ画像（第１表示画像）、７ａ  中間画像、７ｂ  縮小画像
７１，７１ａ，７１ｂ  指針画像、７２  目盛画像、７３  目盛領域、７４  文字画像
８  速度メータ画像（第１表示画像）、８ａ  中間画像、８ｂ  縮小画像
８１  指針画像、８１ａ，８１ｂ  速度画像、８２，８２ａ，８２ｂ  目盛画像
８３，８３ａ，８３ｂ  目盛領域、８４  文字画像
９１−９４ｂ、  インジケータ／ウォーニング画像、１０  ナイトビジョンＥＣＵ
１１  ナイトビジョンスイッチ、１２  赤外線カメラ
１３  ナイトビジョン画像（第２表示画像）、２０，３０  第１表示画像
２０ａ，３０ａ  中間画像、２０ｂ，３０ｂ  縮小画像
【図１】
2008254539.tif 000003
【図２】
2008254539.tif 000004